(57)【要約】【課題】省スペースな構成で、盗撮の対象物を見る人間の視覚には影響を与えずに、撮影された映像の画質を劣化させることができる。【解決手段】発振器３２によって、映像を目視した際に人間の眼には知覚されず、かつ前記映像をカメラで撮影した撮影映像を目視した際に人間の眼に知覚される、所定の周波数で変化するノイズを、映像光に重畳させるためのパルス信号を生成する。駆動回路３０は、パルス信号を、電子シャッタ１２を開状態から閉状態へ変化させるときにオーバーシュートを発生させるように変換し、変換した信号に基づいて、電子シャッタ３２を所定の周波数で開閉させる。【選択図】図９
2017011664.tif 000002
【特許請求の範囲】
【請求項１】
映像を目視した際に人間の眼には知覚されず、かつ前記映像をカメラで撮影した撮影映像を目視した際に人間の眼に知覚される、所定の周波数で変化するノイズを、映像光に重畳させるための信号を生成する信号生成部と、
前記信号生成部で生成された信号に基づいて、前記映像光の光路上に設けられた電子シャッタを前記所定の周波数で開閉させる駆動部と、
前記電子シャッタを囲むように設けられた枠状の遮蔽物と、
を含み、
前記電子シャッタ及び前記遮蔽物が、前記映像光の全部を遮蔽するように配置されたノイズ付加装置。
【請求項２】
前記駆動部は、前記信号生成部で生成された信号を、前記電子シャッタを開状態から閉状態へ変化させるときにオーバーシュートを発生させるように変換し、前記変換した信号に基づいて、前記電子シャッタを前記所定の周波数で開閉させる請求項１記載のノイズ付加装置。
【請求項３】
映像を目視した際に人間の眼には知覚されず、かつ前記映像をカメラで撮影した撮影映像を目視した際に人間の眼に知覚される、所定の周波数で変化するノイズを、映像光に重畳させるための信号を生成する信号生成部と、
前記信号生成部で生成された信号に基づいて、前記映像光の光路上に設けられたシャッタを前記所定の周波数で開閉させる駆動部と、
を含み、
前記駆動部は、前記信号生成部で生成された信号を、前記シャッタを開状態から閉状態へ変化させるときにオーバーシュートを発生させるように変換し、前記変換した信号に基づいて、前記シャッタを前記所定の周波数で開閉させる
ノイズ付加装置。
【請求項４】
前記駆動部は、前記信号生成部で生成された信号に応じてオンオフを切り換えるスイッチと、抵抗と容量性負荷との並列回路であるＲＣ並列回路と、直流電源とを直列に接続した直列回路を含み、前記並列回路と前記直流電源との接続点の電圧に応じた信号を、前記変換した信号として、前記シャッタを前記所定の周波数で開閉させる請求項３記載のノイズ付加装置。
【請求項５】
前記駆動部は、前記信号生成部と前記スイッチとに間に設けられた、抵抗と容量性負荷との並列回路である入力側並列回路を更に含む請求項４記載のノイズ付加装置。
【請求項６】
前記駆動部は、一端が、前記スイッチと前記入力側並列回路との第１接続点に接続され、他端が、前記スイッチと前記ＲＣ並列回路との第２接続点に接続され、前記第２接続点から前記第１接続点への電流の流れを防止するダイオードを更に含む請求項５記載のノイズ付加装置。
【請求項７】
前記信号生成部は、前記映像を表す映像信号の画面上の水平位置又は垂直位置を表す情報を検出する同期分離部を含み、前記同期分離部によって検出された水平位置又は垂直位置を表す情報を用いて、前記ノイズを映像光に重畳させるための信号を生成する請求項３〜請求項６の何れか１項記載のノイズ付加装置。
【請求項８】
前記信号生成部は、合成部を更に含み、
前記同期分離部は、前記映像を表す映像信号の画面上の水平位置を表す情報及び垂直位置を表す情報を検出し、
前記合成部は、前記同期分離部によって検出された水平位置を表す情報及び垂直位置を表す情報を合成して、前記ノイズを映像光に重畳させるための信号を生成する請求項７記載のノイズ付加装置。
【請求項９】
前記所定の周波数をＮ、人間の眼に知覚されないノイズの周波数をＺ１、人間の眼に知覚されるノイズの周波数をＺ２、前記映像のフレーム周波数をＰ、前記カメラの撮影時のフレーム周波数をＶとしたとき、
前記所定の周波数Ｎは、以下の（１）式及び（２）式を満たす値である（ただし、ｍ、ｎ、ｋは、正または負の整数である。）請求項３〜請求項８の何れか１項記載のノイズ付加装置。
Ｚ１＝ｍＰ＋ｎＮ        ・・・（１）
Ｚ２＝ｍＰ＋ｎＮ＋ｋＶ  ・・・（２）
【請求項１０】
前記Ｚ１は、６Ｈｚから１４Ｈｚまでを除く値であり、前記Ｚ２は６Ｈｚから１４Ｈｚまでの値である請求項９に記載のノイズ付加装置。
【発明の詳細な説明】
【技術分野】
【０００１】
本発明は、劇場等で上映される映画やプロジェクタ等によって投影される映像などの各種映像にノイズを付加するノイズ付加装置に関する。
【背景技術】
【０００２】
映画は、膨大な経費が投資されて作成されている。一方、小型化及び高感度化されたビデオカメラの普及により、映画館内における違法な盗撮行為が大きな問題となっている。
【０００３】
近年では、映画館内において上映開始前に盗撮が犯罪行為であることを説明する映像が流されているが、完全な対策にはなっていない。例えば、盗撮されたと考えられる新作映画のインターネット上への流出や、ＤＶＤ（Digital Versatile Disk）等の各種メディアの海賊版の販売等が行われているのが現状である。これらの違法行為は、映画産業に莫大な損害を与え続けている。
【０００４】
そこで、映画の盗撮を防止する技術として種々の技術が考えられている。例えば、特許文献１では、映画投影機とは別の照射部を用いて、特定の周波数でスクリーンに光を照射することにより、盗撮した画像にフリッカを生じさせることが提案されている。これにより、盗撮画像の画質を低下させることができる。
【先行技術文献】
【特許文献】
【０００５】
【特許文献１】特開２０１０−２７８５７３号公報
【発明の概要】
【発明が解決しようとする課題】
【０００６】
しかしながら、特許文献１に記載の技術では、映画投影機とは別に照射部を設ける必要があり、照射部を配置するスペースの確保等が必要となるため、映画館によっては簡単に配置できず、改善の余地がある。
【０００７】
本発明は、上記事実を考慮して成されたもので、省スペースな構成で、映像を見る人間の視覚には影響を与えずに、撮影された映像の画質を劣化させることができるノイズ付加装置を提供することを目的とする。
【課題を解決するための手段】
【０００８】
上記目的を達成するために第１の発明のノイズ付加装置は、映像を目視した際に人間の眼には知覚されず、かつ前記映像をカメラで撮影した撮影映像を目視した際に人間の眼に知覚される、所定の周波数で変化するノイズを、映像光に重畳させるための信号を生成する信号生成部と、前記信号生成部で生成された信号に基づいて、前記映像光の光路上に設けられた電子シャッタを前記所定の周波数で開閉させる駆動部と、前記電子シャッタを囲むように設けられた枠状の遮蔽物と、を含み、前記電子シャッタ及び前記遮蔽物が、前記映像光の全部を遮蔽するように配置される。
【０００９】
第１の発明に係るノイズ付加装置によれば、信号生成部によって、映像を目視した際に人間の眼には知覚されず、かつ前記映像をカメラで撮影した撮影映像を目視した際に人間の眼に知覚される、所定の周波数で変化するノイズを、映像光に重畳させるための信号を生成する。
【００１０】
そして、駆動部によって、前記信号生成部で生成された信号に基づいて、前記映像光の光路上に設けられたシャッタを前記所定の周波数で開閉させる。このとき、前記電子シャッタを囲むように設けられた枠状の遮蔽物及び前記電子シャッタが前記映像光の全部を遮蔽する。
【００１１】
このように、前記電子シャッタを囲むように設けられた枠状の遮蔽物及び前記電子シャッタが前記映像光の全部を遮蔽し、電子シャッタが、映像光にノイズを重畳させるための信号に基づいて、シャッタを開状態から閉状態へ変化させることにより、電子シャッタが小さい場合であっても、映像を見る人間の視覚には影響を与えずに、撮影された映像の画質を劣化させることができる。
【００１２】
第１の発明に係る駆動部は、前記信号生成部で生成された信号を、前記電子シャッタを開状態から閉状態へ変化させるときにオーバーシュートを発生させるように変換し、前記変換した信号に基づいて、前記電子シャッタを前記所定の周波数で開閉させることができる。
【００１３】
第２の発明に係るノイズ付加装置は、映像を目視した際に人間の眼には知覚されず、かつ前記映像をカメラで撮影した撮影映像を目視した際に人間の眼に知覚される、所定の周波数で変化するノイズを、映像光に重畳させるための信号を生成する信号生成部と、前記信号生成部で生成された信号に基づいて、前記映像光の光路上に設けられたシャッタを前記所定の周波数で開閉させる駆動部と、を含み、前記駆動部は、前記信号生成部で生成された信号を、前記シャッタを開状態から閉状態へ変化させるときにオーバーシュートを発生させるように変換し、前記変換した信号に基づいて、前記シャッタを前記所定の周波数で開閉させる。
【００１４】
第２の発明に係るノイズ付加装置によれば、信号生成部によって、映像を目視した際に人間の眼には知覚されず、かつ前記映像をカメラで撮影した撮影映像を目視した際に人間の眼に知覚される、所定の周波数で変化するノイズを、映像光に重畳させるための信号を生成する。
【００１５】
そして、駆動部によって、前記信号生成部で生成された信号に基づいて、前記映像光の光路上に設けられたシャッタを前記所定の周波数で開閉させる。このとき、駆動部は、前記信号生成部で生成された信号を、前記シャッタを開状態から閉状態へ変化させるときにオーバーシュートを発生させるように変換し、前記変換した信号に基づいて、前記シャッタを前記所定の周波数で開閉させる。
【００１６】
このように、映像光にノイズを重畳させるための信号を、シャッタを開状態から閉状態へ変化させるときにオーバーシュートを発生させるように変換し、変換した信号に基づいて、シャッタを所定の周波数で開閉させることにより、省スペースな構成で、映像を見る人間の視覚には影響を与えずに、撮影された映像の画質を劣化させることができる。
【００１７】
第２の発明に係る駆動部は、前記信号生成部で生成された信号に応じてオンオフを切り換えるスイッチと、抵抗と容量性負荷との並列回路であるＲＣ並列回路と、直流電源とを直列に接続した直列回路を含み、前記並列回路と前記直流電源との接続点の電圧に応じた信号を、前記変換した信号として、前記シャッタを前記所定の周波数で開閉させることができる。
【００１８】
第２の発明に係る駆動部は、前記信号生成部と前記スイッチとに間に設けられた、抵抗と容量性負荷との並列回路である入力側並列回路を更に含むことができる。これによって、スイッチが持つ容量による信号波形の劣化を補正することができる。
【００１９】
第２の発明に係る駆動部は、一端が、前記スイッチと前記入力側並列回路との第１接続点に接続され、他端が、前記スイッチと前記ＲＣ並列回路との第２接続点に接続され、前記第２接続点から前記第１接続点への電流の流れを防止するダイオードを更に含むことができる。これによって、スイッチが持つ容量による信号波形の劣化を補正することができる。
【００２０】
第２の発明に係る信号生成部は、前記映像を表す映像信号の画面上の水平位置又は垂直位置を表す情報を検出する同期分離部を含み、前記同期分離部によって検出された水平位置又は垂直位置を表す情報を用いて、前記ノイズを映像光に重畳させるための信号を生成することができる。これによって、映像信号に同期させて、ノイズを重畳する部分を固定することができる。
【００２１】
第２の発明に係る信号生成部は、合成部を更に含み、前記同期分離部は、前記映像を表す映像信号の画面上の水平位置を表す情報及び垂直位置を表す情報を検出し、前記合成部は、前記同期分離部によって検出された水平位置を表す情報及び垂直位置を表す情報を合成して、前記ノイズを映像光に重畳させるための信号を生成することができる。これによって、ノイズを重畳する部分を小さくすることができ、平均輝度の低下を抑止することができる。
【００２２】
また、上記所定の周波数をＮ、人間の眼に知覚されないノイズの周波数をＺ１、人間の眼に知覚されるノイズの周波数をＺ２、映像のフレーム周波数をＰ、カメラの撮影時のフレーム周波数をＶとしたとき、上記の所定の周波数Ｎを、Ｚ１＝ｍＰ＋ｎＮ、及び、Ｚ２＝ｍＰ＋ｎＮ＋ｋＶの２つの式を満たす値とする（ただし、ｍ、ｎ、ｋは、正または負の整数である。）こともできる。
【００２３】
なお、上記のＺ１、Ｚ２は、人間の知覚能力の観点から、請求項７に記載の発明のように、Ｚ１が、６Ｈｚから１４Ｈｚまでを除く値であり、Ｚ２は６Ｈｚから１４Ｈｚまでの値を適用することができる。
【発明の効果】
【００２４】
本発明に係るノイズ負荷装置によれば、電子シャッタを囲むように設けられた枠状の遮蔽物及び電子シャッタが映像光の全部を遮蔽し、電子シャッタが、映像光にノイズを重畳させるための信号に基づいて、シャッタを開状態から閉状態へ変化させることにより、電子シャッタが小さい場合であっても、映像を見る人間の視覚には影響を与えずに、撮影された映像の画質を劣化させることができる。
【００２５】
また、映像光にノイズを重畳させるための信号を、シャッタを開状態から閉状態へ変化させるときにオーバーシュートを発生させるように変換し、変換した信号に基づいて、シャッタを所定の周波数で開閉させることにより、省スペースな構成で、映像を見る人間の視覚には影響を与えずに、撮影された映像の画質を劣化させることができる、という効果がある。
【図面の簡単な説明】
【００２６】
【図１】第１の実施の形態に係る映画盗撮防止装置の要部の概略構成を示す斜視図である。
【図２】第１の実施の形態に係る電子シャッタの構成の一例を示す分解斜視図である。
【図３】理想的な水平方向の輝度変化を示す図である。
【図４】通常の水平方向の輝度変化を示す図である。
【図５】オーバーシュートを発生させた水平方向の輝度変化を示す図である。
【図６】（Ａ）電子シャッタとスイッチとを含む駆動回路を示す図、及び（Ｂ）直流電源の電位の変化を示すグラフである。
【図７】（Ａ）容量性負荷を挿入した駆動回路を示す図、（Ｂ）直流電源の電位の変化を示すグラフ、及び（Ｃ）図７（Ａ）の駆動回路と等価な回路図である。
【図８】電子シャッタの等価回路を示す図である。
【図９】第１の実施の形態に係る制御装置の構成の一例を示す回路図である。
【図１０】（Ａ）駆動回路の一部を示す回路図、（Ｂ）出力電圧Ｖ２の変化を示す図、及び（Ｃ）入力電圧Ｖ１の変化を示す図である。
【図１１】（Ａ）入力電圧Ｖ１の変化を示す図、（Ｂ）出力電圧Ｖ２の変化を示す図、及び（Ｃ）出力電圧Ｖ２の変化を示す図である。
【図１２】（Ａ）ＣＲ並列回路がない場合の直流電源Ｖｃの電位の変化を示す図、及び（Ｂ）ＣＲ並列回路を挿入した場合の直流電源Ｖｃの電位の変化を示す図である。
【図１３】（Ａ）映像へのシャッタ雑音の重畳方法を説明するための模式図、及び（Ｂ）シャッタ雑音が重畳された映像を盗撮カメラが撮影して得られる撮影映像の状態を説明するための模式図である。
【図１４】（Ａ）正弦波で表した投影映像の一例を示す図、（Ｂ）波形で表したシャッタ雑音の一例を示す図、及び（Ｃ）シャッタ雑音で変調された投影映像の一例を示す図である。
【図１５】（Ａ）通常の映像を盗撮カメラで撮影して得られる撮影映像の一例を示す図、及び（Ｂ）シャッタ雑音で変調された映像を盗撮カメラで撮影して得られる撮影映像の一例を示す図である。
【図１６】盗撮カメラで撮影して得られる、ノイズが付加された撮影映像の一例を示す図である。
【図１７】第２の実施の形態に係る制御装置の構成の一例を示す回路図である。
【図１８】ＣＲ並列回路２３４の前後でのパルス信号の変化を示す図である。
【図１９】第３の実施の形態に係る制御装置の構成の一例を示す回路図である。
【図２０】（Ａ）ダイオードを挿入しない場合のコレクタ端子に流れる電流の変化を示す図、（Ｂ）ダイオードを挿入した場合のコレクタ端子に流れる電流の変化を示す図、及び（Ｃ）スイッチへの理想的な入力を示す図である。
【図２１】第４の実施の形態に係る映画盗撮防止装置の概略構成を示す図である。
【図２２】（Ａ）水平同期信号の変化を示す図、（Ｂ）垂直同期信号の変化を示す図、及び（Ｃ）水平同期信号及び垂直同期信号を合成した信号の変化を示す図である。
【図２３】盗撮カメラで撮影して得られる、ノイズが付加された撮影映像の一例を示す図である。
【図２４】第５の実施の形態の原理を説明する一例を示す図である。
【図２５】投影映像の明るさが暗い場合の遮蔽シャッタの位置をずらす一例を示す図である。
【図２６】第５の実施の形態に係る映画盗撮防止装置の要部の概略構成を示す斜視図である。
【図２７】第５の実施の形態に係る遮蔽シャッタの一例を示す図である。
【図２８】第５の実施の形態に係る遮蔽シャッタの一例を示す図である。
【図２９】第５の実施の形態に係る遮蔽シャッタの一例を示す図である。
【図３０】第５の実施の形態に係る遮蔽シャッタの一例を示す図である。
【発明を実施するための形態】
【００２７】
以下、図面を参照して、本発明の実施の形態の例を詳細に説明する。なお、本実施の形態では、本発明のノイズ付加装置を、映画投影機から投影された映画の盗撮を防止する映画盗撮防止装置に適用した場合を例として説明するが、映画以外の映像に対してノイズを付加するノイズ付加装置としてもよい。
【００２８】
［第１の実施の形態］
図１は、本実施の形態に係る映画盗撮防止装置の要部の概略構成を示す斜視図である。
【００２９】
図１に示すように、本実施の形態に係る映画盗撮防止装置１０は、電子シャッタ１２と、該電子シャッタ１２の駆動を制御する制御装置１４と、を備えている。なお、制御装置１４は本発明の信号生成部及び駆動部に相当する。
【００３０】
本実施の形態に係る電子シャッタ１２は、図１に示すように、スクリーン２０に映像を投影する映画投影機１６のレンズユニット１６Ａと、スクリーン２０との間に設けられる。本実施の形態では、図１に示すように、映画投影機１６のレンズユニット１６Ａに当接して電子シャッタ１２を配置する。映像の一部、より好ましくは全部が電子シャッタ１２を透過する範囲に含まれる位置であれば、電子シャッタ１２を、レンズユニット１６Ａから離れて配置してもよい。
【００３１】
電子シャッタ１２には、制御装置１４が接続されており、制御装置１４によって電子シャッタ１２のオン／オフ（光の遮断／透過）が制御される。
【００３２】
本実施の形態に係る映画投影機１６は、一般的なものが用いられる。例えば、映画投影機１６には、コントローラ１８が接続され、コントローラ１８から映像を表す映像信号を受信する。そして、映画投影機１６は、受信した映像信号に基づいて、光源１６Ｃから入射した光を光変調器（例えば、液晶表示素子やＤＭＤ（Digital Mirror Device）など）１６Ｂによって変調して、レンズユニット１６Ａを介して変調した映像光をスクリーン２０に投影する。
【００３３】
図２は、本実施の形態に係る電子シャッタ１２の構成の一例を示す分解斜視図である。なお、本実施の形態では、透過性圧電セラミックス（ＰＬＺＴ）２４を用いた電子シャッタ１２を一例として説明するが、電子シャッタ１２はこれに限るものではない。液晶を利用した電子シャッタ等の他の電子シャッタを適用するようにしてもよい。
【００３４】
本実施の形態に係る電子シャッタ１２は、図２に示すように、映画投影機１６のレンズユニット１６Ａ側（投影光の入射側）に設けられた偏光子２２、ＰＬＺＴ２４、及びスクリーン２０側（投影光の出射側）に設けられた検光子２６を備えている。
【００３５】
なお、本実施の形態では、ＰＬＺＴ２４として、図２に示すように、溝型の形状とされ、溝部分に電極が設けられたものを一例として示すが、ＰＬＺＴ２４や電極の形状はこれに限るものではなく、種々の形状のものを採用することが可能である。
【００３６】
ＰＬＺＴ２４の例としては、例えば、静岡大学論文（平野富夫、「シード層を用いたＣＳＤ法ＰＬＺＴ強誘電体薄膜の低温形成に関する研究」、SURE:Shizuoka University REpository、静岡大学、2000年9月22日、p.1-138、［平成25年10月24日検索］、インターネット＜URL: http://ir.lib.shizuoka.ac.jp/handle/10297/3241＞）に記載の構成を一例として採用することができる。
【００３７】
上記論文に記載のように、光軸をｘとし、光軸ｘに直交する面をｙｚ面としたとき、ＰＬＺＴ２４に電界を印加することで、ＰＬＺＴ２４のｘ、ｙ、ｚ軸各方向の光の屈折率が変化する。ここで、偏光子２２は、偏光方向がｙ軸方向とｚ軸方向に対して、例えば、４５度となるように配置されると共に、検光子２６は、偏光方向が偏光子２２と直交するように配置される。このように配置することにより、ＰＬＺＴ２４に電界が印加されないときは、ＰＬＺＴ２４の結晶を通過した光はｙ成分とｚ成分で同位相となり、偏光方向は入射時と同一方向に保たれるため、検光子２６によって遮られて光が遮断される。一方、ＰＬＺＴ２４に電界が印加されると、ｙ軸方向とｚ軸方向の屈折率が異なるため、ＰＬＺＴ２４の結晶内を伝搬する間に各々の位相が徐々にずれて、２成分を合成した楕円偏光した光となり、検光子２６を光が透過する。
【００３８】
本実施の形態では、上述のように構成された電子シャッタ１２を映画投影機１６のレンズユニット１６Ａの投影光の出射側に当接して配置する。映画館で鑑賞する観客の視覚には影響を与えずに、ビデオカメラ等のカメラ（以下、単に盗撮カメラと称する場合がある。）で撮影した場合に撮影映像を劣化させる所定の周波数で電子シャッタ１２を駆動するように制御装置１４が制御する。
【００３９】
ここで、上記所定の周波数として、投影された映像を目視した際に人間の眼には知覚されず、かつ盗撮カメラで撮影した撮影映像を目視した際に人間の眼に知覚される周波数を選択する。
【００４０】
具体的には、所定の周波数をＮ、人間の眼に知覚されないノイズの周波数をＺ１、人間の眼に知覚されるノイズの周波数をＺ２、投影された映像のフレーム周波数をＰ、盗撮カメラの撮影時のフレーム周波数をＶとしたとき、所定の周波数Ｎとして、以下の（１）式及び（２）式を満たす値を選択する（ただし、ｍ、ｎ、ｋは、正または負の整数である。）。
【００４１】
Ｚ１＝ｍＰ＋ｎＮ        ・・・（１）
Ｚ２＝ｍＰ＋ｎＮ＋ｋＶ  ・・・（２）
【００４２】
この所定の周波数Ｎで制御装置１４が電子シャッタ１２のオン／オフ駆動を制御して、電子シャッタ１２によって発生したノイズ（以下では、単にシャッタ雑音と称する場合がある。）を投影される映像に重畳する。これにより、映画館で鑑賞する観客の視覚には影響を与えずに、盗撮カメラで撮影した場合に撮影映像を劣化させることができる。
【００４３】
また、本実施の形態では、電子シャッタ１２をレンズユニット１６Ａの投影光の出射側に当接して配置することができるので、別途光を出射する照射部等を設ける場合よりも省スペースな構成とすることができる。
【００４４】
次に、本実施の形態において電子シャッタ１２のオンオフ駆動を制御する原理について説明する。
【００４５】
電子シャッタのオンオフ駆動により単にノイズを付加する場合には、撮影映像では、画面内で明度を低減し暗くなる部分が十分暗くならない、という問題がある。
【００４６】
妨害を入れた画面暗部が十分暗くならない問題を解決するには図３の右側に示すように高輝度領域から低輝度領域の変化部分で急激に輝度を落とせば良い。具体的には電子シャッタを開状態から急速に閉状態に変化させれば、図３の左側に示すように急激に暗くなり、十分な妨害効果を得る。
【００４７】
単純に電子シャッタをオンオフ駆動するだけでは、暗部が十分暗くならない。この状況を図４の左側に示す。このときの輝度変化は図４の右側に示すようにするやかに輝度が下がっている。このような輝度の下がり方ではなだらかに下がる部分に影響を受け、人間の視覚は大きな輝度変化を感じない。ここで利用する人間の視覚特性にオブライエン効果がある（参考文献（末竹、「クレイク・オブライエン錯視効果に基づくディジタルカラー画像の色覚バリアフリー高速色変換システム構築」、Journal of the Franklin Institute、２０１２年６月）を参照）。オブライエン効果を利用すると、図５の右側に示すように、なだらかな変化であっても、人間の視覚には急激に輝度が低減した様に見える。図５の右側と図４の右側とを比較するとなだらかな変化部分は同様な波形である。しかし、図５の右側は急激に落ちてオーバーシュートが生じている。これこそがオブライエン効果の応用であり、輝度が急峻に低下したように見えて、急激に暗くなり、十分な妨害効果を得ることを可能とする。
【００４８】
このようにオーバーシュートを発生させた波形を生成する回路を図６および図７で説明する。電子シャッタを駆動する場合、電流を流したり、止めたりしてON/OFFする必要がある。図７（Ａ）はトランジスタを用いて電子シャッタを駆動する例である。電子シャッタの等価回路は、図８に示すとおり、コンデンサと抵抗の並列回路である。ここでは容量性負荷の低減に関する手法を説明するので、簡単化のため電子シャッタは容量のみから構成されるとする。即ち、抵抗値は非常に大きくは容量性負荷と仮定する。ここではトランジスタで駆動する例を示しているが、FET（電界効果トランジスタ）やカレントドライブICでも同様である。またここでは、エミッタ接地の回路例を示しているが、エミッタ接地以外の回路構成でも同様の効果を得ることが可能である。これらのデバイスは微少電流を増幅して大きな電流を制御可能である。トランジスタはB(ベース)、E(エミッタ)、C(コレクタ)の３電極を持つ。BE間に微少電流を流すとCB間には大きな電流が流れ、BE間に流れた電流と合成されてEから流れ出す。この結果Cは大きな電流が流れ、容量性負荷C1に電荷をチャージする。コンデンサ即ち容量性負荷なので、一度に電荷蓄積せず、図６（Ｂ）に示すように時間の経過ともに電荷の蓄積が増大する。容量性負荷C1の容量が小さければ急速に直流電源Vcの電位は変化するが、電流に比較して容量性負荷C1の容量が大きい場合は、直流電源Vcの電位変化に時間を要する。この電位変化は図４の右側の輝度変化に相当する。即ち、輝度を急速に低減させるには急速な電位変化が必要である。この解決策として図７（Ａ）を示す。同図において容量性負荷C1は電子シャッタとする。容量性負荷C2の挿入によりトランジスタから見た総合の容量は低減する。図７（Ａ）の等価回路を図７（Ｃ）に示す。C3はC1およびC2の合成容量であり、(C1C2)/(C1+C2)<C1となる。即ち、C2の挿入によりトランジスタから見た合成容量は低減する。
【００４９】
以上より、図９に示すように、本実施の形態に係る制御装置１４は、発振器３２と駆動回路３０とを含んで構成されている。図９に示すように、駆動回路３０は、スイッチ３８と、容量性負荷C2および抵抗R2を並列に接続したＣＲ並列回路３４と、直流電源Ｖｃとを直列に接続した直列回路を備えている。また、容量性負荷C1および抵抗R1を並列に接続したCR並列回路を電子シャッタ１２とする。原理を図１０で説明する。CR並列回路３４が挿入され、図１０（Ｃ）に示すパルス波形が入力されたとする。容量性負荷C2および抵抗R2を調整することで図１０（Ｂ）に示す波形（以下エッジ波形）を出力可能である。この出力波形は入力波形の立ち上がりと立ち下がりで細いエッジを出力する。この波形が図５に示すオーバーシュートを発生させた波形となり、図５に示す効果をもたらす。図１１にC2・R2とエッジ波形の形状の関係を示す。図１１（Ａ）に示す入力に対し、図１１（Ｂ）、（Ｃ）に、時定数τ＝C2・R2による変化を示す。ここで時定数τとは、立ち上がりから３７％まで落ちる時間である。図１１（Ｂ）、（Ｃ）に示すように、電子シャッタ１２の負荷特性に応じて、C2・R2を調整することで対応可能である。
【００５０】
図１２に、本実施の形態のCR並列回路３４が無い場合とある場合の電子シャッタ１２の入力信号となる、直流電源Vcの電位変化を示す。CR並列回路３４の挿入により、直流電源Vcの電位にはエッジが生じ、所望のオブライエン効果が得られる。
【００５１】
以上説明したように、本実施の形態に係る制御装置１４の駆動回路３０は、上記図９に示すように、発振器３２で生成された所定の周波数で変化するパルス信号に応じてオンオフを切り換えるスイッチ３８と、抵抗Ｒ２と容量性負荷Ｃ２とのＣＲ並列回路３４と、直流電源Ｖｃとを直列に接続した直列回路を含み、ＣＲ並列回路３４と直流電源Ｖｃとの接続点の電位に応じた信号を用いて、電子シャッタ１２を所定の周波数で開閉させる。このとき、駆動回路３０は、発振器３２で生成されたパルス信号を、電子シャッタ１２が開状態から閉状態へ変化するときにオーバーシュートを発生させるように変換し、変換した信号に基づいて、電子シャッタ１２を所定の周波数で開閉させる。なお、駆動回路３０は本発明の駆動部に相当し、発振器３２は、信号生成部に相当する。
【００５２】
続いて、上述のように構成された本実施の形態に係る映画盗撮防止装置１０の作用について図１３〜１５を参照して説明する。なお、図１３（Ａ）は映像へのシャッタ雑音の重畳方法を説明するための模式図である。図１３（Ｂ）はシャッタ雑音が重畳された映像を盗撮カメラが撮影して得られる撮影映像の状態を説明するための模式図である。また、図１４（Ａ）は正弦波で表した投影映像の一例を示す図である。図１４（Ｂ）はシャッタ雑音の一例を示す図である。図１４（Ｃ）はシャッタ雑音で変調された投影映像の一例を示す図である。さらに、図１５（Ａ）は通常の映像を盗撮カメラで撮影して得られる撮影映像の一例を示す図である。図１５（Ｂ）はシャッタ雑音で変調された映像を盗撮カメラで撮影して得られる撮影映像の一例を示す図である。
【００５３】
本実施の形態に係る映画盗撮防止装置１０では、映画投影機１６によるスクリーン２０への映画の投影を開始する際に、制御装置１４による電子シャッタ１２のオン／オフ（光の遮断／透過）制御を開始する。
【００５４】
これにより、レンズユニット１６Ａを透過した映像が電子シャッタ１２を介してスクリーン２０に投影される。すなわち、電子シャッタ１２のオン／オフに応じてスクリーン２０に映像が断続的に投影されるので、スクリーン２０に投影される映像は、図１３（Ａ）に示すように、投影映像とシャッタ雑音とが乗算されてシャッタ雑音で変調された投影映像となる。例えば、図１４（Ａ）に示すような正弦波で表した投影映像と、図１４（Ｂ）に示すような、オーバーシュートが発生するように変化するシャッタ雑音とが乗算されると、図１４（Ｃ）に示すように、シャッタ雑音で変調された投影映像が得られる。
【００５５】
また、このようにスクリーン２０に投影された映像を盗撮カメラで撮影すると、図１３（Ｂ）に示すように、シャッタ雑音で変調された投影映像と、通常の映像を盗撮カメラで撮影したときの撮影映像とが乗算された撮影映像が得られる。例えば、図１５（Ａ）に示すような、通常の映像を盗撮カメラで撮影したときの撮影映像と、上述のシャッタ雑音で変調された投影映像とが乗算されると、図１５（Ｂ）に示すような撮影映像が得られる。
【００５６】
このとき、上述したように、上記所定の周波数Ｎを、上述の（１）式及び（２）式を満たす値とすることで、映画館で鑑賞する観客の視覚には影響を与えずに、盗撮カメラで撮影した場合に撮影映像を劣化させることができる。また、電子シャッタ１２が開状態から閉状態へ変化するときにオーバーシュートを発生させるように変換し、変換した信号に基づいて、電子シャッタ１２を所定の周波数で開閉させることにより、図１６に示すように、盗撮カメラで撮影した撮影映像に、暗部の輝度が十分下がったノイズを重畳させることができる。
【００５７】
以下、このように、制御装置１４が周波数Ｎで電子シャッタ１２を駆動することにより、映画館で鑑賞する観客の視覚には影響を与えずに、盗撮カメラの撮影映像を劣化させることのできる原理について説明する。
【００５８】
２種類の信号の乗算を行うと、必ず和の周波数と差の周波数との各信号が現れる。例えば、sinθとsinφとの各信号の乗算を行うと以下の（３）式に示すように、（θ−φ）と（θ＋φ）との各信号が現れる。
【００５９】
【数１】
2017011664.tif 000003
【００６０】
すなわち、１８世紀〜１９世紀に活躍したフランスの数学者であるフーリエに端を発するフーリエ級数及びフーリエ変換と、その後の研究から、全ての信号は三角関数の合成で表現可能なことが証明されている。
【００６１】
映画館で投影される映像もその例外ではなく、位相及び周期の異なる正弦波（ｓｉｎ）と余弦波（ｃｏｓ）で表現することが可能である。
【００６２】
映画は通常、フレーム周波数が２４Ｈｚである。しかしながら、２４Ｈｚのフレーム周波数の映像は人間の目にはフリッカとして視認される。このため、１フレーム内でシャッタを切る（暗フレームを挿入する）ことにより、擬似的に４８Ｈｚを実現してフリッカを防止している。このため、映画は２４Ｈｚ及び４８Ｈｚを基本のフレーム周波数としており、２４Ｈｚによるフーリエ級数展開が可能である。ここで、４８Ｈｚは２４Ｈｚの２倍の周波数であるから、映像信号を２４Ｈｚでフーリエ級数展開すると２４Ｈｚの整数倍の周波数の信号が現れる。このため、４８Ｈｚは２４Ｈｚの２倍の周波数として出現する。なお、この原理は、映画投影機１６のフレーム周波数に依存しないため、以下の説明においては、一般化し、映画投影機１６のフレーム周波数をＰＨｚとして説明する。
【００６３】
また、電子シャッタ１２を制御装置１４が駆動することによって与える上述の所定の周波数（シャッタ雑音の周波数）をＮＨｚとする。この所定の周波数を、本実施の形態では、電子シャッタ１２によって重畳する場合の例を示すが、これに限るものではない。例えば、映画投影機１６のバックライトや、映画投影機１６で投影するための映像信号にシャッタ雑音に対応するノイズを直接重畳する手法もあり、これらも理論的には何れも同じ原理となる。
【００６４】
また、盗撮に用いられる一般的なビデオカメラ等の撮影装置はフレーム周波数が３０Ｈｚ又は６０Ｈｚであるが、これを一般化するためにＶＨｚとする。
【００６５】
フレーム周波数がＰＨｚの映像信号にＮＨｚのノイズ信号を重畳すると、（３）式で示したように、ＰＨｚとＮＨｚを基本周波数とし、（Ｎ−Ｐ）Ｈｚと（Ｎ＋Ｐ）Ｈｚの信号が現れる。人間の視覚には最も高輝度の部分と最も低輝度の部分が目立つ傾向があるので、目立つ部分だけに注目するとＮＨｚの信号をＰＨｚでサンプリングしたことになる。
【００６６】
従って、サンプリングの定理から、（ｍ×Ｐ＋ｎ×Ｎ）Ｈｚの信号が現れる。ここで、ｍ、ｎは正または負の整数であり、ｍ、ｎ＝±１、±２、±３・・・となる。例えば、Ｐ＝２４Ｈｚ、Ｎ＝１００Ｈｚとすると、ｍ＝−４、ｎ＝１の場合や、ｍ＝５、ｎ＝−１の場合に、１００−２４×４＝４Ｈｚの信号や、２４×５−１００＝２０Ｈｚの信号が現れる。劇場で人間は映画投影機１６から投影された映像にシャッタ雑音が重畳された状態で鑑賞する。
【００６７】
ところで、人間の視覚は、低周波数のフリッカには非常に敏感である。ここで、低周波数のフリッカとは、人間にとって視認可能な程度の周波数のフリッカを示す。
【００６８】
ここで、上述の（１）式及び（２）式を満足する低周波数のフリッカの一例としては、特に６Ｈｚ〜１４Ｈｚの周期信号を挙げることができる。人間は、一般的に５０Ｈｚ以下のフリッカを認識する傾向にあるが、特に１５Ｈｚ以下のフリッカに対しては敏感に認識しやすい。このため、（ｍ×Ｐ＋ｎ×Ｎ）Ｈｚの信号が人間の視覚に敏感な周波数とならないように上記所定の周波数としてのシャッタ雑音の周波数を選ぶ必要がある。上記の例では、Ｚ１＝２４×５−１００＝２０Ｈｚとなり、観客はシャッタ雑音が重畳された状態で映像を鑑賞することになるが、Ｚ１の値が１５Ｈｚより大きいので、比較的フリッカを認識し難い。
【００６９】
盗撮カメラは、この状態の映像を撮影する。この場合、スクリーン２０に投影された映像を盗撮カメラで撮影することにより得られる撮影映像は、盗撮カメラのフレーム周波数の信号がさらに重畳されたものとなる。すなわち、盗撮カメラのフレーム周波数をＶＨｚとし、新たにｋ＝±１、±２、±３・・・として、盗撮カメラの撮影により得られた撮影映像には、（ｍ×Ｐ＋ｎ×Ｎ＋ｋ×Ｖ）Ｈｚの信号が混入する。
【００７０】
ここで、（ｍ×Ｐ＋ｎ×Ｎ）Ｈｚの値が、人間がフリッカを視認しやすい周波数帯（例えば１５Ｈｚ以下）から外れる周波数となり、かつ、（ｍ×Ｐ＋ｎ×Ｎ＋ｋ×Ｖ）Ｈｚの値が人間の視覚に視認されやすい周波数となるように、Ｎの値を選ぶ。すなわち、上述の（１）式及び（２）式を満足する所定の周波数をＮとして選ぶことによって、劇場ではフリッカが視認されないが、盗撮した映像ではフリッカが視認される状態を作り出すことが可能となる。
【００７１】
例えば、Ｐ＝２４Ｈｚ、Ｎ＝２３３Ｈｚ、Ｖ＝６０Ｈｚとすると、スクリーン２０上に投影された映像は、ｍ＝−９、ｎ＝１の場合に、２３３−２４×９＝１７Ｈｚとなり、上述のフリッカを敏感に認識し易い周波数から外れて人間の視覚では見え難くなる。Ｎ＝５５Ｈｚでは、ｍ＝−２、ｎ＝１の場合に、５５−２４×２＝７Ｈｚとなり、人間がフリッカを敏感に認識し易い周波数の信号が混入することになる。
【００７２】
一方、映画投影機１６からスクリーン２０に投影された、シャッタ雑音が重畳された映像を盗撮カメラで撮影した場合には、（ｍ×Ｐ＋ｎ×Ｎ＋ｋ×Ｖ）の値は、Ｐ＝２４Ｈｚ、Ｎ＝２３３Ｈｚ、Ｖ＝６０Ｈｚ、ｍ＝５、ｎ＝−１、ｋ＝２の場合に（ｍ×Ｐ＋ｎ×Ｎ＋ｋ×Ｖ）＝５×２４−２３３＋２×６０＝７Ｈｚとなり、盗撮により得られる撮影映像には、人間がフリッカを敏感に認識し易い周波数の信号が混入する状態となり、フリッカを視認される状態を作り出すことができる。
【００７３】
以上説明したように、第１の実施の形態に係る映画盗撮防止装置によれば、駆動回路によって、映像光にノイズを重畳させるためのパルス信号を、シャッタを開状態から閉状態へ変化させるときにオーバーシュートを発生させるように変換し、変換した信号に基づいて、シャッタを所定の周波数で開閉させることにより、省スペースな構成で、映像を見る人間の視覚には影響を与えずに、撮影された映像の画質を十分に劣化させることができる。
【００７４】
なお、本実施の形態では、電子シャッタ１２を映画投影機１６のレンズユニット１６Ａに当接して配置した例を説明したが、これに限るものではない。例えば、映画投影機１６内（例えば、レンズユニット１６Ａと光変調器１６Ｂの間や、光変調器１６Ｂと光源１６Ｃの間など）に設けるようにしてもよい。
【００７５】
［第２の実施の形態］
本第２の実施の形態では、発振器と駆動回路との間にもＣＲ並列回路を挿入する形態例について説明する。なお、第１の実施の形態と同様の構成となる部分については、同一符号を付して説明を省略する。
【００７６】
図１７に示すように、第２の実施の形態に係る制御装置２１４の駆動回路２３０では、発振器３２とスイッチ３８のベース端子との間に設けられたＣＲ並列回路２３４と、スイッチ３８と、ＣＲ並列回路３４と、直流電源Ｖｃと含む。
【００７７】
パルス波形をスイッチ３８のベース端子に入力しても、スイッチ３８のベースエミッタ間に容量を持つため、電子シャッタ１２への入力波形が崩れる。そこで、スイッチ３８のベース端子と発振器３２との間にＣＲ並列回路２３４を挿入することで、図１８に示すように、電子シャッタ１２への入力波形にエッジを発生させることができるので、ベースエミッタ間による波形劣化を補正可能である。
【００７８】
このように、第２の実施の形態に係る映画盗撮防止装置によれば、駆動回路２３０が、発振器３２で生成されたパルス信号に対し、スイッチ３８のベースエミッタ間による波形劣化を補正した上で、電子シャッタ１２を開状態から閉状態へ変換させるときにオーバーシュートを発生させるように変換し、変換した信号に基づいて、電子シャッタ１２を所定の周波数で開閉させることにより、撮影された映像の画質を十分に劣化させることができる。
【００７９】
［第３の実施の形態］
本第３の実施の形態では、発振器と駆動回路との間にＣＲ並列回路を挿入し、更にダイオードを設けた形態例について説明する。なお、第１の実施の形態及び第２の実施の形態と同様の構成となる部分については、同一符号を付して説明を省略する。
【００８０】
図１９に示すように、第３の実施の形態に係る制御装置３１４の駆動回路３３０では、ＣＲ並列回路２３４と、スイッチ３８のベースエミッタ間に設けられ、かつ、エミッタ端子からベース端子への電流の流れを防止するダイオード３３６と、スイッチ３８と、ＣＲ並列回路３４と、直流電源Ｖｃと含む。
【００８１】
スイッチ３８のベースエミッタ間の容量性負荷により、電子シャッタ１２への入力波形が崩れるが、図１９に示すように、ダイオード３３６を挿入することで、電子シャッタ１２への入力波形の崩れを補正可能である。図２０に原理を示す。スイッチ３８のベースエミッタ間に図２０（Ｃ）に示す理想的なパルスが入力されたとする。パルスがゼロとなった後、コレクタ端子に流れる電流は直ちにOFF即ちゼロとなることが望ましい。しかし、スイッチ３８のベースコレクタ間の容量により、図２０（Ａ）に示すダイオードなしの例のように、コレクタ端子に流れる電流は、しばらくOFFとならない。これはスイッチ３８のベースコレクタ間の容量性負荷が充電されるためである。一方、ダイオード３３６を挿入するとスイッチ３８のベースコレクタ間の容量性負荷に充電される余分な電荷を低減可能である。この結果、図２０（Ｂ）に示すダイオード有りの例のように、パルス波形がゼロとなった後、短時間でスイッチ３８のコレクタ端子に流れる電流もゼロとなる。
【００８２】
このように、第３の実施の形態に係る映画盗撮防止装置によれば、駆動回路３３０のスイッチ３８のベースコレクタ間にダイオード３３６を挿入することにより、スイッチ３８のベースコレクタ間の容量性負荷に充電される余分な電荷を低減し、パルス波形がゼロとなった後、短時間でスイッチ３８のコレクタ端子に流れる電流もゼロとなる。これによって、撮影された映像の画質を十分に劣化させることができる。
【００８３】
［第４の実施の形態］
本第４の実施の形態では、映像に同期して電子シャッタ１２を駆動する形態例について説明する。なお、第１の実施の形態〜第３の実施の形態と同様の構成となる部分については、同一符号を付して説明を省略する。
【００８４】
図２１に示すように、第４の実施の形態に係る映画盗撮防止装置４１０の制御装置４１４には、コントローラ１８から映画投影機１６へ出力された映像信号と同じ映像信号が入力されている。
【００８５】
制御装置１４は、入力された映像信号から画面上の水平位置情報及び垂直位置情報を検出する同期分離部４２０と、同期分離部４２０によって検出された水平位置情報及び垂直位置情報を合成する合成回路４２２と、合成回路４２２から出力信号を入力とする駆動回路３３０とを備えている。なお、駆動回路３３０は本発明の駆動部に相当し、同期分離部４２０及び合成回路４２２は、信号生成部に相当する。
【００８６】
同期分離部４２０は、図２２（Ａ）に示すように、映像信号から水平同期信号を分離して出力すると共に、図２２（Ｂ）に示すように、映像信号から垂直同期信号を分離して出力する。
【００８７】
合成回路４２２は、図２２（Ｃ）に示すように、同期分離部４２０によって出力された水平同期信号及び垂直同期信号を合成したパルス信号を出力する。
【００８８】
駆動回路３３０は、合成回路４２２により出力されたパルス信号を入力として、電子シャッタ１２のオンオフを駆動する。
【００８９】
このように、映画投影機１６の映像信号に同期して、電子シャッタ１２を駆動することで、図２３に示すように、盗撮カメラの撮影によって得られる撮影映像におけるノイズの発生位置を固定的に画像の一部のみとすることができ、平均輝度の低下を抑制することができる。
【００９０】
なお、上記の第４の実施の形態では、同期分離部４２０によって出力された水平同期信号及び垂直同期信号を合成したパルス信号を出力する場合を例に説明したが、これに限定されるものではなく、合成回路を用いずに、同期分離部４２０によって出力された水平同期信号又は垂直同期信号をそのままパルス信号として出力するようにしてもよい。
【００９１】
また、上記の第１の実施の形態〜第３の実施の形態では、発振器から出力されたパルス信号を、駆動回路によって変換する場合を例に説明したが、これに限定されるものではなく、シャッタを開状態から閉状態へ変化させるときにオーバーシュートを発生させるパルス信号を直接生成するようにしてもよい。
【００９２】
［第５の実施の形態］
本第５の実施の形態では、円状の電子シャッタと、当該円状の電子シャッタを映像光の光路方向に対して垂直な面上において囲むように設けられた枠状の遮蔽物とからなる遮蔽シャッタを、映像光の全部を遮蔽するように配置する形態について説明する。なお、第１から第４の実施の形態と同様の構成となる部分については、同一符号を付して説明を省略する。
【００９３】
まず、第５の実施の形態における映像光がスクリーンに投影される原理について図２４を用いて説明する。なお、第５の実施の形態においては、遮蔽物を、光を遮蔽する物質からなるアダプタ５０２とするが、光を遮蔽する物質であれば、アダプタ５０２に限定されない。
【００９４】
具体的には、光源１６Ｃは、集光後、光変調器１６Ｂに入光される。ここで、図２４においては、投影映像の光路が、遮蔽シャッタ５００により全遮蔽され、かつ、投影映像の光路の一部が、電子シャッタ１２を透過するように構成されている。
【００９５】
ここで、光には回折性があるが、投影映像の光路が遮蔽シャッタ５００により全遮蔽されていることから、スクリーン２０に投影される映像に確実にノイズを乗せることができる。
【００９６】
なお、投影映像のアダプタにより遮蔽される範囲が大きいほど、スクリーンに投影される全体映像は暗くなるため、投影される全体映像の明るさが足りない場合には、図２５に示すように、遮蔽シャッタ５００の位置を光源から遠ざけることにより調整が可能となる。また、図２５中の点線部分は、移動前の遮蔽シャッタ５００の位置を表すものとする。
【００９７】
図２６は、第５の実施の形態に係る映像盗撮防止装置の要部の概略構成を示す斜視図である。
【００９８】
第５の実施の形態に係る遮蔽シャッタ５００は、図２６に示すように、スクリーン２０に映像を投影する映画投影機１６のレンズユニット１６Ａと、光変調器１６Ｂとの間に設けられる。なお、第５の実施の形態においては、遮蔽シャッタ５００を映画投影機１６内部に配置する場合について説明するが、映画投影機１６の外側に遮蔽シャッタ５００を配置してもよい。
【００９９】
ここで、遮蔽シャッタ５００は、図２７に示すように、円状の電子シャッタ１２と、当該円状の電子シャッタ１２を映像光の光路方向に対して垂直な面上において囲むように設けられたアダプタ５０２とを含んで構成される。なお、第５の実施の形態では、遮蔽シャッタ５００が、映像の全光路を遮蔽するように配置されているものとする。
【０１００】
このように、第５の実施の形態においては、映像の全光路を遮蔽シャッタ５００で遮蔽し、当該遮蔽シャッタ５００の一部である電子シャッタ１２において、光の通過、又は光の非通過を制御することにより、電子シャッタの大きさが、映像の光路全体よりも小さい場合においても、映画の盗撮防止が可能となる。
【０１０１】
また、第５の実施の形態では、遮蔽シャッタ５００を図２７に示す場合について説明したが、これに限定されるものではない。例えば、遮蔽シャッタ５００を図２８、図２９及び図３０等のように、電子シャッタ１２部分と遮蔽物部分との面積比を変化させてもよい。
【０１０２】
また、第５の実施の形態では、遮蔽シャッタ５００を図２６に示すように映画投影機１６のレンズユニット１６Ａと、光変調器１６Ｂとの間に配置した例を説明したが、これに限るものではない。例えば、映像の全光路を、遮蔽シャッタ５００で遮蔽できる場合には、映画投影機１６内（例えばレンズユニット１６Ａと光変調器１６Ｂとの間の任意の場所や、光変調器１６Ｂと光源１６Ｃとの間の任意の場所）の任意の位置に配置してもよい。また、映像の全光路が、遮蔽シャッタ５００で遮蔽できる場合には、遮蔽シャッタ５００を、映画投影機１６のレンズユニット１６Ａとスクリーン２０との間の任意の位置に配置してもよい。
【０１０３】
また、第５の実施の形態では、電子シャッタ１２を開状態から閉状態へ変化させるときにオーバーシュートを発生させるように変換した信号に基づいて、電子シャッタ１２を所定の周波数で開閉させる場合について説明したが、これに限定されるものではない。例えば、映像を目視した際に人間の眼には知覚されず、かつ映像をカメラで撮影した撮影映像を目視した際に人間の眼に知覚される、所定の周波数で変化するノイズを、映像光に重畳させるための信号に基づいて、電子シャッタ１２を所定の周波数で開閉させてもよい。
【０１０４】
また、第５の実施の形態における電子シャッタ１２のオン／オフ（光の遮断／透過）の制御は、第１の実施の形態に係る制御装置１４において実現する場合について説明したが、これに限定されるものではない。例えば、電子シャッタ１２のオン／オフ（光の遮断／透過）の制御を第２のから第４の実施の形態における制御装置２１４、制御装置３１４、又は制御装置４１４の何れにより実現してもよい。
【０１０５】
また、第５の実施の形態における遮蔽シャッタは、円状の電子シャッタと、当該円状の電子シャッタを映像光の光路方向に対して垂直な面上において囲むように設けられた枠状の遮蔽物とからなる場合について説明したが、これに限定されるものではない。例えば、円状の電子シャッタと、当該円状の電子シャッタを囲むように設けられた枠状の遮蔽物とからなる遮蔽シャッタでもよい。
【０１０６】
また、上記の第１の実施の形態〜第５の実施の形態では、映画の盗撮を防止する場合を例に説明したが、映画以外の映像の盗撮を防止する装置に、本発明を適用してもよい。また、映像の盗撮を防止する目的以外で、映像にノイズを付加する装置に、本発明を適用してもよい。例えば、映像の一部分のみを、撮影不可部分とするようにノイズを付加する装置に、本発明を適用してもよい。
【符号の説明】
【０１０７】
１０ 映画盗撮防止装置
１２ 電子シャッタ
１４ 制御装置
１６ 映画投影機
１８ コントローラ
３０ 駆動回路
３２ 発振器
３４ ＲＣ並列回路
３８ スイッチ
２１４ 制御装置
２３０ 駆動回路
２３４ ＲＣ並列回路
３１４ 制御装置
３３０ 駆動回路
３３６ ダイオード
４１０ 映画盗撮防止装置
４１４ 制御装置
４２０ 同期分離部
４２２ 合成回路
５００ 遮蔽シャッタ
５０２ アダプタ
【図７】
2017011664.tif 000004
【図１０】
2017011664.tif 000005
【図１３】
2017011664.tif 000006
【図１７】
2017011664.tif 000007
【図１９】
2017011664.tif 000008
【図２０】
2017011664.tif 000009
【図２６】
2017011664.tif 000010
【図２７】
2017011664.tif 000011
【図２８】
2017011664.tif 000012
【図２９】
2017011664.tif 000013
【図３０】
2017011664.tif 000014
【図１】
2017011664.tif 000015
【図２】
2017011664.tif 000016
【図３】
2017011664.tif 000017
【図４】
2017011664.tif 000018
【図５】
2017011664.tif 000019
【図６】
2017011664.tif 000020
【図８】
2017011664.tif 000021
【図９】
2017011664.tif 000022
【図１１】
2017011664.tif 000023
【図１２】
2017011664.tif 000024
【図１４】
2017011664.tif 000025
【図１５】
2017011664.tif 000026
【図１６】
2017011664.tif 000027
【図１８】
2017011664.tif 000028
【図２１】
2017011664.tif 000029
【図２２】
2017011664.tif 000030
【図２３】
2017011664.tif 000031
【図２４】
2017011664.tif 000032
【図２５】
2017011664.tif 000033